(57)【要約】【課題】両面使用可能となって衣類を着用させた状態で前後面のアイロン掛けができるし、立体的な形態のアイロン掛け面が形成されて背中及びヒップ部分の曲線を効果的にアイロン掛けすることができる両面アイロン台を提供することにある。【解決手段】衣類をアイロン掛けするためのアイロン台において、前記アイロン台は、衣類の袖部分が挿通されるようにその断面が長方形の袖部と、前記袖部と一体に連結され、上着が着用された状態で前面及び後面のアイロン掛けできるようにその断面が人の体形で形成されたシャツ部と、前記シャツ部と連結されて下着を着用させた状態でアイロン掛けできるようにはとの尾形状からなった下着部と、から構成され、前記アイロン台を構成する前記袖部、シャツ部及び下着部の一面は平面からなり、裏面は立体的な形態の曲面から構成される。【選択図】図１
2007528230.tif 000002
【特許請求の範囲】
【請求項１】
衣類をアイロン掛けするためのアイロン台において、前記アイロン台は、衣類の袖部分が挿通されるようにその断面が長方形の袖部と、
前記袖部と一体に連結され、上着が着用された状態で前面及び後面のアイロン掛けできるようにその断面が人の体形で形成されたシャツ部と、
前記シャツ部と連結されて下着を着用させた状態でアイロン掛けできるようにはとの尾形状からなった下着部と、から構成され、前記アイロン台を構成する前記袖部、シャツ部及び下着部の一面は平面からなり、裏面は立体的な形態の曲面から構成されることを特徴とする両面アイロン台。
【請求項２】
前記アイロン台は、衣類が着用された状態で前後面を交互に返して両面アイロン掛けできるように、前記アイロン台の一面と裏面が返された状態を保持するようにする脚部を備え、
前記脚部は、支持フレームと、
前記支持フレームに一端が結合されて回動する複数個の脚と、
前記それぞれの脚は交差され、その交差される部分がヒンジ結合され、前記脚の他端が位置するように前記アイロン台に形成された支持溝及び挿入溝を備えることを特徴とする請求項１に記載の両面アイロン台。
【請求項３】
衣類をアイロン掛けするためのアイロン台において、
上面と背面の使用可能な両面アイロン台本体と、
前記アイロン台本体を支持するように具備される受け部と、
前記受け部の一端に連結されて前記アイロン台本体の一端を支持し、前記アイロン台本体が上下回動及び左右回転できるようにする支持部と、を備えることを特徴とする両面アイロン台。
【請求項４】
前記支持部は、前記受け部の一端に形成されるステーと、
前記アイロン台本体の一端に形成されて前記ステーを収容するステー具と、を備えることを特徴とする請求項３に記載の両面アイロン台。
【請求項５】
前記受け部は前記アイロン台本体の上下回動できるように第１ヒンジ部を備えることを特徴とする請求項４に記載の両面アイロン台。
【請求項６】
前記支持部は、前記受け部の一端に形成される環形の突出部と、前記アイロン台本体の一端に形成されて前記突出部が収容される収容溝とから構成され、前記受け部には前記アイロン台本体が上下回動できるように第１ヒンジ部が形成されることを特徴とする請求項３に記載の両面アイロン台。
【請求項７】
前記受け部は、一端に前記支持部が具備され、一定間隙を置いて一対に具備される第１脚と、
前記第１脚の間に位置してヒンジ結合され、一端が前記アイロン台本体を支持する第２脚と、から構成されることを特徴とする請求項３ないし請求項６に記載の両面アイロン台。
【請求項８】
前記アイロン台本体は、断面が人体の体形として製作されて上着が着用され、背面が平面で形成され、上面が曲面で形成されたシャツ部と、
前記シャツ部の一端に連結され、衣類の袖部分が挿通されてアイロン掛けできるように具備され、背面が平面で形成され、上面が曲面で形成された袖部と、
前記シャツ部の他端に連結されて下着を着用させた状態でアイロン掛けできるように背面が平面で形成され、上面が曲面で形成された下着部と、を備えることを特徴とする請求項３ないし６に記載の両面アイロン台。
【請求項９】
前記シャツ部の一端の内部には前記袖部が挿通されるように挿入溝が形成されることを特徴とする請求項８に記載の両面アイロン台。
【請求項１０】
前記下着部は着用された状態の下着を固定するためのホルダーを備え、前記ホルダーは鋏であることを特徴とする請求項９に記載の両面アイロン台。
【発明の詳細な説明】
【技術分野】
【０００１】
本発明はアイロン台に係るもので、詳しくは、両面使用可能となって衣類を着用させた状態で前後面のアイロン掛けができるし、立体的な形態のアイロン掛け面が形成されて背中及びヒップ部分の曲線を効果的にアイロン掛けすることができる両面アイロン台に関する。
【背景技術】
【０００２】
一般に、アイロン台１００は、図２１に示すように、一定の長さを有して製作され、アイロン掛けの対象物体が載置される平面のアイロン掛け面１０４と、該アイロン掛け面１０４の一端には袖部分を掛けることができるように勾配の形成された勾配部１０６と、前記アイロン掛け面１０４の裏面には折り畳み可能な脚部１０２と、を具備してなされる。
【発明の開示】
【発明が解決しようとする課題】
【０００３】
然るに、このような形態の従来のアイロン台１００は衣服類を掛ける際、以下のような不便さがあった。
ワイシャツを掛ける際、ワイシャツの前面と後面を掛けるためにアイロン掛け面１０４にワイシャツの前面と後面を一一当てる作業をした上で掛けるようになって、多くの時間が所要され、一度アイロン掛けしたところは他のところをアイロン掛けする際にしわが発生して、もう一度掛け直さなければならないとの問題点があった。
【０００４】
また、ひだの多いズボンの前部分をアイロン掛けするには簡単でない。なぜならば、従来のアイロン台のアイロン掛け面１０４は平面となっているが、実質的なズボンの前部分、ヒップ部分及びポケット部分は突出した状態となっているからである。
このため、ひだ部が形成されたズボンの前部分をアイロン掛けする際、多くの難しさが発生した。
【０００５】
そこで、本発明の目的は、両面使用可能であり、人体の屈曲に従い立体的に形成されたアイロン掛け面を通じて衣類をアイロン台本体に着用させた状態で前後面だけでなく衣類の屈曲部分のアイロン掛けが可能なので、しわが発生せず、衣類の上着及びその袖部と下着の各部位の特性に適するようにアイロン掛け部位を備えることにより、アイロン掛けの効率性を増加させることができる両面アイロン台を提供することにある。
【課題を解決するための手段】
【０００６】
このような目的を達成するため本発明の第１実施例による両面アイロン台は、衣類をアイロン掛けするためのアイロン台本体において前記アイロン台本体は、衣類の袖部分が挿通されるようにその断面が長方形の袖部と、前記袖部と一体に連結され、上着が着用された状態で前面及び後面のアイロン掛けができるようにその断面が人の体形で形成されたシャツ部と、前記シャツ部と連結されて下着を着用させた状態でアイロン掛けできるようにはとの尾形状からなった下着部と、から構成され、前記アイロン台本体を構成する前記袖部、シャツ部、及び下着部の一面は平面からなり、裏面は曲面から構成されることが好ましく、前記両面アイロン台は、衣類が着用された状態で前後面を交互に返して両面アイロン掛けできるように、前記アイロン台本体の一面と裏面が返された状態を保持させるようにする脚部を備え、前記脚部は支持フレームと、前記支持フレームに一端が結合されて回動する複数個の脚と、前記それぞれの脚は交差されて、該交差される部分がヒンジ結合されるように具備され、前記脚の他端が位置するように前記アイロン台本体に形成された支持溝及び挿入溝から構成されることが好ましい。
【発明の効果】
【０００７】
本発明による両面アイロン台は、両面使用可能であり、人体の屈曲に従い立体的に形成されたアイロン掛け面を通じて衣類をアイロン掛け面に密着させた状態において、前後面だけでなく背中またはヒップ部分を含んだ衣類の屈曲部分のアイロン掛けができることにより、しわが発生せず、且つ効率性が増加されるアイロン台を得んとする効果がある。
【発明を実施するための最良の形態】
【０００８】
以下、本発明の第１実施例による好ましい実施例を図面を参照して詳しく説明し、各図面に図示された同じ符号は同じ機能をする同じ部材をさす。
【０００９】
図１及び図２に示すように、本発明による両面アイロン台２は、両面を用いてアイロン掛けできる形態に製作され、該アイロン台２の一面は平たい平面２aからなり、その裏面は立体的に屈曲が形成された曲面２ｂから形成される。
【００１０】
このような形態のアイロン台２に多様な用途のアイロン掛け部が具備され、先ず、アイロン台２の一端にはワイシャツなどの袖部分をアイロン掛けすることができる袖部４が具備される。
【００１１】
前記袖部４は衣類の袖６が挿通されるようにその断面が長方形に製作されて、図３に示すように、前記袖部６が入り込んだ状態でアイロン掛けが行われることになる。
そして、袖部４と連結されたアイロン台２の中間部分にはワイシャツなどのような上着が着用されるシャツ部８が形成され、図４に示すように、前記シャツ部８にワイシャツ１０が人に着用されたような状態で着用させられて、アイロン掛けが行われることになる。
このとき、上着の後面はアイロン台２の平面２a部分に位置し、上着の前面はアイロン台２の曲面２ｂ部分に位置する。
【００１２】
また、アイロン台２の他端をみると、ズボンなどの下着が着用されるようにはとの尾形状の下着部１２が形成され、前記下着部１２には図５に示すようにズボン１４が着用されてアイロン掛けされるようになる。
ズボン１４が着用されたアイロン台２の裏面の曲面２ｂは突出した状態となっているため、突出するように製作されたズボン１４の前部分をアイロン掛けする際、容易なアイロン掛けがなされ、ズボン１４の後部分だけでなく側部分をも効果的にアイロン掛けできる。
【００１３】
一方、本発明の両面アイロン台２はアイロン台２自体だけを用いて衣類の前面及び後面をアイロン掛けできるように製作され、より便利にアイロン掛けするために図６に示すような脚部１８が追加されて用いられる。
前記脚部１８の形態を見ると、まず、支持フレーム２０があり、前記支持フレーム２０の上部には該支持フレーム２０に一端が結合されて回動する複数個の脚２２があり、それぞれの脚２２は交差され、その交差される部分がヒンジ２４で結合されるようになる。
このように具備された脚２２の他端がそれぞれアイロン台２に形成された支持溝２ｃ及び挿入溝２ｄに支持されて、アイロン台２の前後面を支持する。
【００１４】
以下、本発明の第１実施例による両面アイロン台２の使用状態に対し説明する。
上着をアイロン掛けする場合、まず、図６に示すように上着１０をアイロン台２のシャツ部８に被せられるように着用させた後、アイロン台２の平面２ａまたは曲面２ｂを用いて使用者の選択に従い上向くようにして脚部１８に位置させる。
【００１５】
前記アイロン台２の一面の平面２ａが上向くように位置させた状態で使用者はアイロン台２の平面２a部分に位置した上着１０の後面を先にアイロン掛けする。
平面２aに位置した後面をアイロン掛けした後、使用者は上着１０が着用された状態を保持しながらアイロン台２の裏面の曲面２ｂが上向くように返し、このとき、脚２２の他端のうち一つはアイロン台２に形成された支持溝２ｃに載置された状態となり、他端の他の一つはアイロン台２に形成された挿入溝２ｄに挿入された状態となって、アイロン台２を固定するようになる。
【００１６】
アイロン台２を脚部１８に結合させる方法をみると、まず、アイロン台２の挿入溝２ｄに脚２２の他端２２aが挿入されるように押入れた後、アイロン台２の別の他端２２ｂを支持溝２ｃに載置することによりなされる。
図７に示すように、アイロン台２の曲面２ｂが上向くように返された状態で上着１０の前部分をアイロン掛けすると、上着１０のアイロン掛けが仕上げられることになる。
【００１７】
一方、ズボンなどの下着は図５に示すような状態でアイロン掛けし、ズボン１４の前部分がアイロン台２の曲面２ｂ部分に位置されると、突出した曲面２ｂ部分を通じてひだ部分の形成されたズボン１４の前部分を効果的にアイロン掛けすることができる。
また、下着部１２に着用されたズボン１４を回してズボン１４の側面部分とヒップ部分を効果的にアイロン掛けすることができる。
【００１８】
そして、本発明の第２実施例による両面アイロン台は、衣類をアイロン掛けするためのアイロン台において上面とその背面の使用が可能な両面アイロン台本体と、前記アイロン台本体を支持するように具備される受け部と、前記受け部の一端に連結されて前記アイロン台本体の一端を支持し、前記アイロン台本体が上下回動及び左右回転の可能にする支持部とを備えることが好ましく、前記支持部は前記受け部の一端に形成されたステーと、前記アイロン台本体の一端に形成されて前記ステーが収容されるステー具とが好ましく、前記受け部には前記アイロン台本体の上下回動ができるように第１ヒンジ部が形成されることが好ましい。
【００１９】
そして、前記支持部は前記受け部の一端に形成される環形の突出部と、前記アイロン台本体の一端に形成されて前記突出部が収容される収容溝とから構成され、前記受け部には前記アイロン台本体が上下回動できるように第１ヒンジが形成されることが好ましく、前記受け部は一端に前記支持部が具備され、一定間隙を置き一対に具備される第１脚と、前記第１脚の間に位置して第２ヒンジで結合され、一端が前記アイロン台本体を支持する第２脚と、から構成されることが好ましい。前記アイロン台本体はその断面が人体の体形で製作されて衣類の上下が着用され、背面が平面で形成され、上面が曲面から形成されたシャツ部と、前記シャツ部の一端に連結されて衣類の袖部分が挿通されてアイロン掛けできるように具備され、背面が平面から形成され、上面が曲面から形成された袖部と、前記シャツ部の他端に連結されて下着を着用させた状態でアイロン掛けができるように背面が平面から形成され、上面が曲面から形成された下着部と、から構成されることが好ましい。
【００２０】
また、前記シャツ部の一端の内部には前記袖部が挿通されるように挿入溝が形成されることが好ましく、前記下着部には着用された状態の下着を固定するためのホルダーが具備され、前記ホルダーは鋏の方が好ましい。このような構成の発明によると、両面使用が可能であり、人体の屈曲に従い立体的に形成されたアイロンがけ面を通じて衣類をアイロン台本体に着用させた状態で前後面だけでなく、衣類の屈曲部分のアイロン掛けができて、しわが発生せず、さらに衣類の上着及びその袖、下着のように各部位の特性に適合したアイロン掛け部位が具備されて、アイロン掛けの効率性が増加される両面アイロン台を得んとする効果がある。
【００２１】
以下、本発明の第２実施例による好ましい実施例を説明する。
図８に示すように、本発明の第２実施例による両面アイロン台２００は、上面と背面の使用によりアイロンがけが行われる両面アイロン台本体３００が具備され、前記アイロン台本体３００を支持するように具備される受け部３１０から構成される。前記受け部３１０の一端にはアイロン台本体３００の一端を支持し、アイロン台本体３００の上下回動及び左右回転できるようにする支持部３２０が具備される。
【００２２】
本発明の第２実施例によるアイロン台本体３００は、第１実施例と同様に、両面を用いてアイロン掛けをすることができる形態として製作され、アイロン台本体３００の背面は平たい平面３００ｂから構成され、上面は立体的に屈曲が形成された曲面３００ａから形成される。
【００２３】
先ず、アイロン台本体３００の一端にはワイシャツなどの袖または肩部分をアイロン掛けできる袖部３０４が具備され、袖部３０４は衣類の袖が挿通されるように断面の形状が略膨らんだ長方形から製作され、このため、袖部分が挿通された状態で袖の形態に従い自然なアイロン掛けが行われることになる。
【００２４】
前記袖部３０４は袖部分だけでなく、肩部分のような狭い部分を細密にアイロン掛けできるように便利になった構造である。
【００２５】
そして、袖部３０４と連結されたアイロン台本体３００の中間部分にはワイシャツなどの上着が着用されるシャツ部３０８が形成され、前記シャツ部３０８には人に着用させたようにしてアイロン掛けが行われる。
このとき、上着の後面はアイロン台本体３００の平面３００ｂ部分に位置し、上着の前面はアイロン台本体３００の曲面３００a部分に位置して、上着の特性に合わせてアイロン掛けをすることができる。
【００２６】
また、アイロン台本体３００の他端をみると、ズボンなどの下着が着用されるように四角またははとの尾形状の下着部３１２が形成され、前記下着部３１２にはズボンが着用されてアイロン掛けが行われるようになる。
【００２７】
ズボンの着用されたアイロン台本体３００の上面の曲面３００aは突出した状態となっているため、突出されるようにズボンの前部分をアイロン掛けする際に容易なアイロン掛けができるし、ズボンの後部分だけでなく側面部分を効果的にアイロン掛けすることができる。
【００２８】
さらに、ズボンの前部分に形成されたひだなどを効果的にアイロン掛けできるし、背面の平面３００ｂを通じてズボンのヒップ部分を特性に適合に効率的なアイロン掛けができるようになる。
【００２９】
一方、本発明の第２実施例による両面アイロン台２００は、衣類を着用させた状態で背面の平面３００ｂ部分と上面の曲面３００aを使用者の便意に従い回転して使用するように支持部３２０が具備される。
【００３０】
図９及び図１０は、アイロン台本体３００の上下回動及び左右回転の可能にする支持部３２０の一実施例である。このような支持部３２０は下着をアイロン掛けする下着部３１２に具備される。
前記下着部３１２は上部板３１２aと下部板３１２ｂの結合でなり、結合された端部にはステー具３１６が具備される。
そして、前記ステー具３１６にはアイロン台本体３００を支持する第１脚３３２の一端に形成されたステー３１８が位置する。
このように構成された支持部３２０により使用者はアイロン台本体３００を上下左右に移動させて返すことができる。
【００３１】
図１１は支持部３２０の他の実施例を示し、第１脚３３２の一端には環形の突出部３１６が形成され、環形の突出部３１６が位置する下着部３１２には収容溝３１３が形成される。
【００３２】
図１２乃至図１５は上述のような本発明の第２実施例による両面アイロン台２００のアイロン台本体３００を支持する受け部３１０を示し、受け部３１０はアイロン台本体３０の一端に図９または図１１のような支持部３２０が具備されて、第１ヒンジ３３６で結合される第１脚３３２があり、第１脚３３２と第２ヒンジ３３８で結合される第２脚３３４から構成される。
第１脚３３２は一定間隙をおいて離隔された一対に具備され、一対の第１脚３３２はこれらを支持するように連結された横方向バー３４２が具備され、第２脚３３４は第１脚３３２の間に位置した状態となる。
【００３３】
そして、第２脚３３４には、一端が第２脚３３４に第３ヒンジ３４４で結合され、他端に横方向バー３４２に掛けられるための多数個の掛止溝３４６aを有した掛止バー３４６が具備され、前記掛止バー３４６を通じて第１脚３３２と第２脚３３４とが連結されて固定された状態となって、アイロン台本体３００が支持されるようになる。
このような形態の掛止バー３４６に形成された多数個の掛止溝３４６aを使用者の選択に従い横方向バー３４２に掛けることにより、使用者の高さに合わせて調節するのである。
【００３４】
以下、本発明の第２実施例による両面アイロン台２００の作動状態に対し説明する。
図８のような状態で使用者は第２脚３３４により支持されるアイロン台本体３００の自由段を取って図１３のようにアイロン台本体３００を持ち上げるが、このとき、第１脚３３２の一端に連結された支持部３２０により自然に持ち上げられる。
また、第１脚３３２の第１ヒンジ３３６もアイロン台本体３００の持ち上げにより返されるようになる。
【００３５】
以後、使用者は持ち上げられた状態のアイロン台本体３００を図１４のように回転させることにより、曲面３００aをなす上面と、平面３００ｂをなす背面は回転により位置する状態が変わることになる。
【００３６】
このように上面と背面の状態が変わった状態で使用者は図１５のようにアイロン台本体３００の他端を取って第２脚３３４に支持されるように置き、このため、アイロン台本体３００は平面３００ｂが上部に位置し、曲面３００aの背面が下部に位置する状態となる。
【００３７】
このような状態の本発明の第２実施例による両面アイロン台２００は、ワイシャツの袖部分と肩部分、ワイシャツのような上着、及びズボンに対し、それぞれに該当する衣類の特性に適合した袖部３０４、シャツ部３０８、下着部３１２のような機能的な部分を備え結合させることにより、アイロン掛けすることができる。
【００３８】
袖５００の場合、図１６に示すように、袖部３０４に袖５００を挿通させた状態でアイロン掛けを行い、袖部３０４は袖５００の形状に合わせてラウンディング形態の曲面からなって、袖５００のアイロン掛けが効率的になされるようになる。
さらに、肩部分のように狭い幅の部分をも効果的にアイロン掛けすることができる。
【００３９】
そして、上着をアイロン掛けする場合、まず、図１７に示すように、上着５２０をアイロン台本体３００のシャツ部３０８に被せられるように着用させた後、アイロン台本体３００の平面３００ｂまたは曲面３００aを使用者の選択に従い上向くようにする。
アイロン台本体３００の一面の平面３００aが上向くように位置させた状態で使用者はアイロン台本体３００の平面３００ｂ部分に位置した上着５２０の後面を先にアイロン掛けする。
平面３００ｂに位置した後面をアイロン掛けした後、使用者は上着５２０が着用された状態を保持し、アイロン台本体３００の裏面の曲面３００が上向くようにアイロン台本体３００を返した後、曲面３００a部分をアイロン掛けする。
【００４０】
一方、ズボンなどの下着は図１８及び図１９に示すようにヒップ部分と脚部分を区分してアイロンがけをするが、まず、ヒップ部分をアイロンがけしようとする場合、アイロン台本体３００の下着部３１２にズボン５３０を着用させた状態でアイロン掛けをする。
このとき、下着部３１２の突出した曲面３００aを通じてヒップ部分のような部位を服の形態に適合した状態にアイロン掛けをすることができる。
【００４１】
そして、下着部３１２にはズボン５３０をアイロンがけする場合、ズボン５３０の脚部分５３０aを取るためのホルダー３５０が具備され、ホルダー３５０は手回り品の鋏３５２を用いる。
【００４２】
図１９に示すように、ズボン５３０の脚部分５３０aをアイロン掛けする場合、使用者はアイロン台本体３００の背面の平面３００ｂが上向くようにした状態で前記平面３００ｂにズボン５３０の脚部分５３０aが載せられる状態として位置させた後、鋏３５２をもってズボン５３０の脚部分５３０aを取るようになる。
このとき、ズボン５３０のベルト部分５３０ｂは袖部３０４側に位置した状態となる。
【００４３】
このように脚部分５３０aが鋏３５２により取られた状態で、使用者はズボン５３０のベルト部分５３０ｂを取り、ベルト部分５３０ｂを引っ張るように脚部分５３０aをアイロン掛けするようになる。
このような状態で下着部３１２はズボン５３０を着用させた状態で突出した曲面３００a部分を通じてひだ部分が形成されたズボン５３０の前部分を効果的にアイロン掛けすることができる。
【００４４】
また、下着部３１２に着用されたズボン５３０を回してズボン５３０の側面部分とヒップ部分を効果的にアイロン掛けできるし、脚部分５３０aは平面３００ｂ部分が上向くように回した状態でアイロン掛けするのである。
さらに、ズボン５３０の脚部分５３０ａが鋏３５２により取られた状態でアイロンをとっていない使用者の片手はゆとりがあるため、片手を用いてひだの位置を正確に引っ張るようにしてひだ部分をアイロン掛けすることができる。
【００４５】
図２０は本発明の第２実施例による両面アイロン台２００の袖部３０４が必要に従い使用可能となるようにシャツ部３０８に挿入溝３０８aを形成したもので、袖５００をアイロン掛けする場合、袖部３０４が外部に露出されるように引っ張った後に使用するようになる。
もし、袖部３０４を用いない場合、袖部３０４が外部に露出しないようにシャツ部３０８に形成された挿入溝３０８aに押し入れればよい。
【図面の簡単な説明】
【００４６】
【図１】本発明の第１実施例による両面アイロン台の平面部を示す斜視図である。
【図２】本発明の第１実施例による両面アイロン台の曲面部を示す斜視図である。
【図３】本発明の第１実施例による両面アイロン台に袖部分が挿通された状態の斜視図である。
【図４】本発明の第１実施例による両面アイロン台に上着が着用された状態の斜視図である。
【図５】本発明の第１実施例による両面アイロン台に下着が着用された状態の斜視図である。
【図６】本発明の第１実施例による両面アイロン台の平面部を用いる状態の使用状態図である。
【図７】本発明の第１実施例による両面アイロン台の曲面部を用いる状態の使用状態図である。
【図８】本発明の第２実施例による両面アイロン台の斜視図である。
【図９】本発明の第２実施例による両面アイロン台の支持部を示した斜視図である。
【図１０】図８の断面図である。
【図１１】図９の支持部の一実施例を示した断面図である。
【図１２】本発明の第２実施例による両面アイロン台の脚部の斜視図である。
【図１３】本発明の第２実施例による両面アイロン台の作動状態図である。
【図１４】本発明の第２実施例による両面アイロン台の作動状態図である。
【図１５】本発明の第２実施例による両面アイロン台の作動状態図である。
【図１６】本発明の第２実施例による両面アイロン台の使用状態図である。
【図１７】本発明の第２実施例による両面アイロン台の使用状態図である。
【図１８】本発明の第２実施例による両面アイロン台の使用状態図である。
【図１９】本発明の第２実施例による両面アイロン台の使用状態図である。
【図２０】本発明の第２実施例による両面アイロン台の袖部の断面図である。
【図２１】従来のアイロン台の斜視図である。
【符号の説明】
【００４７】
２、２００    アイロン台
２ａ、３００ｂ    平面
２ｂ、３００ａ    曲面
４、６、３０４    袖部
８、３０８    シャツ部
１２    下着部
１４、５３０    ズボン
１８    脚部
２０    支持フレーム
３００    アイロン台本体
３０８ａ    挿入溝
３１０    受け部
３２０    支持部
３３２    第１脚
３３４    第２脚
３４６    掛止バー
３５０    ホルダー
５２０    上着
５３０ａ    脚部分
５３０ｂ    ベルト部分
【国際調査報告】
2007528230.tif 000003